(57)【要約】【課題】アンテナ性能を確保することができる照明器具を提供する。【解決手段】照明器具１は、第１挿通孔１６１が形成された配線基板６１と、配線基板６１の実装面６１ａに実装された複数の発光素子６２と、配線基板６１を搭載する金属製の筐体２１と、筐体２１に収容され、外部機器と無線通信をするアンテナ部１１１とを備える。また、筐体２１は、筐体２１及び配線基板６１を平面視した場合に、第１挿通孔１６１と重なる位置に形成された第２挿通孔１４１を有する。そして、アンテナ部１１１は、第１挿通孔１６１及び第２挿通孔１４１に挿通されている。【選択図】図４
2019145415.tif 000002
【特許請求の範囲】
【請求項１】
第１挿通部が形成された基板と、
前記基板の実装面に実装された複数の発光素子と、
前記基板を搭載する金属製の筐体と、
前記筐体に収容され、外部機器と無線通信をするアンテナ部とを備え、
前記筐体は、前記筐体及び前記基板を平面視した場合に、前記第１挿通部と重なる位置に形成された第２挿通部を有し、
前記アンテナ部は、前記第１挿通部及び前記第２挿通部に挿通されている
照明器具。
【請求項２】
さらに、透光性を有し、前記発光素子及び前記基板を覆うカバー部材を備え、
前記複数の発光素子は、前記基板に配列され、
前記アンテナ部は、前記第１挿通部及び前記第２挿通部に挿通され、前記基板と前記カバー部材との間の部分で屈曲し、前記複数の発光素子の並びに沿って延びている
請求項１に記載の照明器具。
【請求項３】
前記アンテナ部は、前記複数の発光素子の少なくとも１つの前記発光素子の周囲を周回するように、配置されている
請求項２に記載の照明器具。
【請求項４】
前記アンテナ部は、前記発光素子の上方に配置されている
請求項２又は３に記載の照明器具。
【請求項５】
さらに、前記アンテナ部及び前記複数の発光素子の周囲に配置された、透光性の絶縁シートを備え、
前記実装面及び前記アンテナ部の内の少なくとも一方は、白色に塗装され、
前記アンテナ部は、前記絶縁シートの上方に配置されている
請求項１〜４のいずれか１項に記載の照明器具。
【請求項６】
前記アンテナ部は、前記実装面に対して略垂直に直立している箇所を有する
請求項１に記載の照明器具。
【請求項７】
前記基板は、長尺であり、
前記第１挿通部は、隣り合う２つの前記発光素子の間の略中央を通る前記基板の短手方向上に形成される
請求項１〜６のいずれか１項に記載の照明器具。
【請求項８】
前記第２挿通部は、前記第１挿通部及び前記第２挿通部を平面視した場合に、前記第１挿通部と重なり、
前記第１挿通部及び前記第２挿通部を平面視した場合に、前記第１挿通部の面積は、前記第２挿通部の面積よりも小さい
請求項１〜７のいずれか１項に記載の照明器具。
【請求項９】
さらに、
前記アンテナ部を有する無線モジュールと、
前記無線モジュールが直結されるコネクタを有する電源部とを備える
請求項１〜８のいずれか１項に記載の照明器具。
【発明の詳細な説明】
【技術分野】
【０００１】
本開示は、照明器具に関する。
【背景技術】
【０００２】
従来、光を照射する光源と、光源が取り付けられる取付面を有するベース部と、無線通信を行うパターンアンテナとを備えた照明器具が知られている（例えば特許文献１参照）。
【先行技術文献】
【特許文献】
【０００３】
【特許文献１】特開２０１４−１６７８７８号公報
【発明の概要】
【発明が解決しようとする課題】
【０００４】
照明器具では、ベース部の下側に配置されているカバー部にパターンアンテナを配置して、アンテナの通信性能を確保したいという要望がある。
【０００５】
本発明は、アンテナ性能を確保することができる照明器具を提供することを目的とする。
【課題を解決するための手段】
【０００６】
本発明の一態様に係る照明器具は、第１挿通部が形成された基板と、前記基板の実装面に実装された複数の発光素子と、前記基板を搭載する金属製の筐体と、前記筐体に収容され、外部機器と無線通信をするアンテナ部とを備え、前記筐体は、前記筐体及び前記基板を平面視した場合に、前記第１挿通部と重なる位置に形成された第２挿通部を有し、前記アンテナ部は、前記第１挿通部及び前記第２挿通部に挿通されている。
【発明の効果】
【０００７】
本開示によれば、アンテナ性能を確保することができる。
【図面の簡単な説明】
【０００８】
【図１】図１は、実施の形態１に係る照明器具の斜視図である。
【図２】図２は、実施の形態１に係る照明器具の分解斜視図である。
【図３】図３は、実施の形態１に係る照明器具のカバー部材、発光モジュール、無線モジュール等を示す部分拡大斜視図である。
【図４】図４は、実施の形態１に係る照明器具のカバー部材、発光モジュール、無線モジュール等を示す部分拡大斜視図である。
【図５】図５は、実施の形態１に係る照明器具の発光モジュール、及び、アンテナ部を示す平面図である。
【図６】図６は、実施の形態１の変形例に係る照明器具のカバー部材、発光モジュール、無線モジュール等を示す部分拡大斜視図である。
【図７】図７は、実施の形態１の変形例に係る照明器具のカバー部材、発光モジュール、無線モジュール等を示す部分拡大斜視図である。
【図８】図８は、実施の形態１の変形例に係る照明器具の発光モジュール、及び、アンテナ部を示す平面図である。
【図９】図９は、実施の形態２に係る照明器具のカバー部材、発光モジュール、無線モジュール等を示す部分拡大斜視図である。
【図１０】図１０は、実施の形態２に係る照明器具の発光モジュール、及び、アンテナ部を示す平面図である。
【図１１】図１１は、実施の形態３に係る照明器具の発光モジュール、及び、アンテナ部を示す図である。
【図１２】図１２は、実施の形態３に係る照明器具の発光モジュール、及び、アンテナ部を示す図である。
【図１３】図１３は、実施の形態３に係る照明器具の発光モジュール、及び、アンテナ部を示す平面図である。
【図１４】図１４は、変形例に係る照明器具の発光モジュール、及び、アンテナ部を示す図である。
【図１５】図１５は、変形例に係る照明器具のカバー部材、発光モジュール、無線モジュール等を示す部分拡大斜視図である。
【図１６】図１６は、変形例に係る照明器具の発光モジュール、及び、アンテナ部を示す平面図である。
【発明を実施するための形態】
【０００９】
以下、本開示の実施の形態について、図面を参照しながら説明する。以下で説明する実施の形態は、いずれも包括的又は具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
また、「略＊＊」との記載は、実質的に＊＊と認められるものを含む意図であり、例えば「略垂直」を例に挙げて説明すると、完全に垂直はもとより、実質的に垂直と認められるものを含む意図である。
【００１２】
以下、本開示の実施の形態に係る照明器具について説明する。
【００１３】
（実施の形態１）
［構成］
本開示の実施の形態に係る照明器具１の構成について説明する。
【００１４】
図１は、実施の形態１に係る照明器具１の斜視図である。図２は、実施の形態１に係る照明器具１の分解斜視図である。
【００１５】
照明器具１の長手方向をＹ軸方向と規定し、第１挿通孔１６１及び第２挿通孔１４１の並び方向をＺ軸方向と規定し、Ｘ軸方向及びＺ軸方向と直交する方向をＹ軸方向と規定し、Ｘ、Ｙ、Ｚの各方向を表示する。そして、図１に示す各方向は、全て図２に示す各方向に対応させて表示する。図２以降の図においても、同様である。
【００１６】
また、上方、下方、上面等は、部材の配置を示すために用いており、照明器具１を使用する際の姿勢を限定しない。
【００１７】
図１及び図２に示すように、照明器具１は、長尺状をなしたＬＥＤランプであり、例えば、引っ掛けシーリングに固定した状態で使用する。
【００１８】
照明器具１は、器具本体２と、カバー部材３とを有している。器具本体２は、照明器具１のベースとなる部材である。器具本体２は、筐体２１と、照明装置５とを有している。
【００１９】
筐体２１は、本体２２と、基台４０とを有する。
【００２０】
本体２２は、長尺状であり、Ｚ軸方向及びＸ軸方向で規定される平面で切断した断面を断面視した場合に、末広がりの略台形状である。本体２２には、本体２２のＺ方向に向かって凹む収容部２１ａが形成されている。収容部２１ａは、Ｙ軸方向に延在する溝である。収容部２１ａには、後述する、基台４０、発光モジュール６０、電源部７０、無線モジュール１１０等が収容されている。つまり、本体２２は、発光モジュール６０を搭載している。収容部２１ａの底面から、電源部７０及び無線モジュール１１０、基台４０、発光モジュール６０、カバー部材３の順で、下方向に向かって並ぶように配置されている。発光モジュール６０及び基台４０は、ライトバーである。本体２２は、アルミニウム、鉄等の金属材料で構成されている。
【００２１】
基台４０は、セラミック製、金属フィラーを混合した樹脂、又は、アルミニウム、鉄等の金属で構成された、Ｙ軸方向に長尺なフレームである。本実施の形態の基台４０では、発光モジュール６０の熱を放熱させるために、鉄等の金属材料である。この場合、例えば、基台４０は、ＳＰＣＣ（Ｓｔｅｅｌ  Ｐｌａｔｅ  Ｃｏｌｄ  Ｃｏｍｍｅｒｃｉａｌ；冷間圧延鋼板）製の板金にロール成形加工又はプレス加工等を施すことにより所定の形状に形成されている。なお、基台４０は、必ずしも金属だけで構成されている基台に限らず、金属以外の材料を用いて形成されていてもよい。
【００２２】
図３は、実施の形態１に係る照明器具１のカバー部材３、発光モジュール６０、無線モジュール１１０等を示す部分拡大斜視図である。図４は、実施の形態１に係る照明器具１のカバー部材３、発光モジュール６０、無線モジュール１１０等を示す部分拡大斜視図である。図５は、実施の形態１に係る照明器具１の発光モジュール６０、及び、アンテナ部１１１を示す平面図である。
【００２３】
図３〜図５に示すように、基台４０は、配置面４１と、第２挿通孔１４１とを有する。
【００２４】
配置面４１は、発光モジュール６０が配置されるＺ軸マイナス方向側の面であり、Ｙ軸方向に長尺である。基台４０の配置面４１に、発光モジュール６０の配線基板６１を配置する。配置面４１は、配線基板６１における実装面６１ａの反対側の面とが向かい合っている。配線基板６１は、基台４０に支持される。
【００２５】
第２挿通孔１４１は、アンテナ部１１１が挿通される孔である。第２挿通孔１４１の面積は、アンテナ部１１１と接触しないように、アンテナ部１１１をＸ−Ｙ平面で切断した場合の断面積よりも大きい。また、基台４０及び配線基板６１を平面視した場合に、第２挿通孔１４１の面積は、後述する配線基板６１の第１挿通孔１６１の面積よりも大きい。第２挿通孔１４１の形状は、平面視で、円形、多角形等でもよく、特に限定しない。第１挿通孔１６１及び第２挿通孔１４１を平面視した場合の形状が矩形状の場合を、図３で例示する。第２挿通孔１４１の面積とは、基台４０を平面視した場合の孔の面積である。第２挿通孔１４１は、第２挿通部の一例である。
【００２６】
基台４０は、筐体２１に着脱可能に取り付けられている。基台４０は、Ｘ軸方向に突出する複数の係合部４１ｃを有している。基台４０と筐体２１とは、筐体２１の収容部２１ａ内に形成された被係合部に複数の係合部４１ｃが一対一で係合することで固定される。なお、基台４０と筐体２１とは、例えば、ねじ等の固定部材によって固定されていてもよい。基台４０は、無線モジュール１１０、及び、電源部７０を収容可能な隙間を設けるように、筐体２１との間に隙間を形成する。
【００２７】
また、器具本体２の筐体２１には、延設された電線の端部にコネクタが設けられており、照明装置５には延設された電線の端部にコネクタが設けられている。筐体２１のコネクタと照明装置５のコネクタとが嵌め合わされることで、筐体２１から照明装置５に、照明装置５の発光に必要な電力が供給される。
【００２８】
照明装置５は、無線モジュール１１０と、発光モジュール６０と、電源部７０とを有している。
【００２９】
無線モジュール１１０は、筐体２１に収容され、外部機器と無線通信をする装置である。無線モジュール１１０は、基台４０の中心に対してＹ軸マイナス方向側に配置している。無線モジュール１１０は、基台４０と筐体２１との間の収容部２１ａに配置されている。無線モジュール１１０は、コネクタを有する電源部７０に直結した状態で電気的に接続されている。なお、無線モジュール１１０は、制御線等を介して、電源部７０に接続されていてもよい。
【００３０】
無線モジュール１１０は、リモコン等の外部装置からの制御信号を受信したり、発光モジュール６０を制御するためのプログラムの要求を送信したりする。なお、無線モジュール１１０は、例えば、インターネットを通じてプログラム配信サーバと通信するための通信モジュールであってもよい。また、無線モジュール１１０と、プログラム配信サーバとの間には、実際には、モデム、ルータ、中継サーバなどの通信装置が存在してもよい。
【００３１】
無線モジュール１１０の通信方式としては、Ｚｉｇｂｅｅ（登録商標）、Ｂｌｕｅｔｏｏｔｈ（登録商標）、又は、ＷｉＦｉ（登録商標）などの通信方式が用いられてもよい。
【００３２】
無線モジュール１１０は、アンテナ部１１１と、無線制御部１１２とを有する。
【００３３】
アンテナ部１１１は、搬送波を送信すること、及び外部機器の搬送波を受信することが可能なアンテナである。アンテナ部１１１は、基台４０及び配線基板６１から露出するように配置されている。具体的には、アンテナ部１１１は、基台４０の第２挿通孔１４１及び配線基板６１の第１挿通孔１６１をこの順番で挿通する。具体的には、アンテナ部１１１は、配置面４１とは反対側の面から配置面４１に向けて第２挿通孔１４１に挿通され、かつ、実装面６１ａとは反対側の面から実装面６１ａに向けて第１挿通孔１６１に挿通される。アンテナ部１１１は、配線基板６１のＺ軸マイナス方向側の面（実装面６１ａ）よりも突出している。
【００３４】
アンテナ部１１１は、基台４０の配置面４１、及び、発光素子６２を実装している実装面６１ａに対して略垂直に直立している箇所を有する。また、アンテナ部１１１は、平板状をなしてＸ−Ｚ平面と略平行となるように設けられている。本実施の形態では、アンテナ部１１１は、基台４０の配置面４１、つまりＸ−Ｙ平面に対して略垂直に直立しているため、例えば、垂直偏波を受送信することが可能なパターンアンテナとして機能する。また、アンテナ部１１１は、配線基板６１の実装面６１ａに対しても略垂直に直立している。なお、本実施の形態では、アンテナ部１１１は、Ｙ−Ｚ平面と略平行となるように設けてもよい。また、アンテナ部１１１は、水平偏波を送受信することが可能であってもよい。
【００３５】
無線制御部１１２は、アンテナ部１１１が受信した制御信号に基づいた指示を電源部７０に出力する。また、無線制御部１１２は、発光モジュール６０に関する情報を、アンテナ部１１１を通じて外部装置に送信することができる。発光モジュール６０に関する情報としては、例えば、調光、調色、消費電力等が挙げられる。外部装置として、例えば、リモコン、スマートフォン、タブレット端末などの携帯端末、サーバ、汎用パソコン、壁スイッチ等が挙げられる。
【００３６】
発光モジュール６０は、コネクタを介して制御部４３に電気的に接続されている。発光モジュール６０は、長尺な板状をなし、複数の発光素子６２と、発光素子６２を実装する配線基板６１とを有する。発光モジュール６０は、調光制御及び調色制御が可能なモジュールである。本実施の形態では、３つの配線基板６１のそれぞれに８つの発光素子６２が一列に設けられている。
【００３７】
配線基板６１は、直線となるようにＹ軸方向に一列に並んでいる。中央の配線基板６１は、その一端が一方の配線基板６１の他端と電気的に接続され、その他端が他方の配線基板６１の一端と電気的に接続されている。
【００３８】
発光素子６２は、配線基板６１上に一列に並ぶように、配線基板６１の実装面６１ａに実装されている。各々の発光素子６２は、金属製の配線６３により電気的に接続されている。発光素子６２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップが実装され、キャビティ内に蛍光体含有樹脂が封入されたパッケージ型のＬＥＤ素子である。発光素子６２は、照明装置５に設けられている電源部７０により制御されて点灯及び消灯を行う。また、各発光素子６２は、電源部７０が電源装置を制御して調光及び調色が行われる。
【００３９】
配線基板６１は、複数の発光素子６２を実装するための実装基板であって、例えばセラミックス基板、樹脂基板又は絶縁被覆されたメタルベース基板などである。また、配線基板６１は、例えば平面視において矩形状の平面を有する板状の基板である。なお、配線基板６１には、発光素子６２を発光させるための直流電力を外部から受電するための一対の電極端子（正電極端子及び負電極端子）が形成されている。配線基板６１は、基板の一例である。
【００４０】
配線基板６１は、第１挿通孔１６１を有する。
【００４１】
第１挿通孔１６１は、アンテナ部１１１を挿通することが可能な孔である。配線基板６１を基台４０に配置した場合に、第１挿通孔１６１は、第２挿通孔１４１と対応する位置に形成される。つまり、第１挿通孔１６１は、発光モジュール６０及び基台４０を平面視した場合に、第２挿通孔１４１と重なっている。これにより、第１挿通孔１６１及び第２挿通孔１４１は、アンテナ部１１１を挿通することができる。第１挿通孔１６１の形状は、平面視で、円形、多角形等でもよく、特に限定しない。第１挿通孔１６１は、第１挿通部の一例である。
【００４２】
第１挿通孔１６１は、隣り合う２つの発光素子６２の間の略中央を通る、配線基板６１の短手方向上に形成されている。ここで、短手方向は、Ｘ軸方向である。
【００４３】
第１挿通孔１６１の面積は、アンテナ部１１１と接触しないように、アンテナ部１１１をＸ−Ｙ平面で切断した場合の断面積よりも大きい。また、第１挿通孔１６１の面積は、第２挿通孔１４１の面積よりも小さい。
【００４４】
電源部７０は、発光素子６２を発光させるための電力を供給する電源回路、発光モジュール６０に対して調光制御を行う調光回路、及び、発光モジュール６０に対して調色制御を行う調色回路が内蔵されている。電源部７０の電源回路、調光回路、及び、調色回路は、プリント配線基板等の回路基板と、回路基板に実装された複数の電子部品とによって構成されている。電源部７０は、例えば、商用電源等の外部電源（ＡＣ）からの交流電力を、整流、平滑及び降圧等して所定レベルの直流電力に変換し、直流電力を発光モジュール６０に供給する。
【００４５】
また、電源部７０は、アンテナ部１１１で受信した制御信号に応じて、発光モジュール６０へ供給される電力を制御する。電源部７０は、発光モジュール６０の点灯、消灯、調光、及び調色等の動作を制御する。電源部７０は、アンテナ部１１１で受信した制御信号、例えば、点灯ＯＮ／ＯＦＦ信号、調光信号、調色信号等を電気信号に変換し、電源部７０の電源回路、調光回路、調色回路等に出力する。電源回路、調光回路、及び調色回路は、それぞれ受信した制御信号に応じて点灯制御、調光制御、調色制御を行い、適切な電力を発光モジュール６０へ供給する。電源部７０は、照明器具１から出射される光の光量の変化、色温度の変化又は分光分布の変化が所定範囲内となるように、照明器具１の発光を制御する。ここでいう調色には、発光色又は色温度の調整等を含む。なお、発光モジュール６０の点灯、消灯、調光、及び調色等の動作を制御する制御装置が無線制御部１１２に設けられていてもよい。
【００４６】
電源部７０は、無線制御部１１２に電気的に接続され、筐体２１の収容部２１ａに収容されている。電源部７０と配線基板６１とは、基台４０により隔てられている。電源部７０は、例えば、コネクタを介して発光素子６２と電気的に接続される。コネクタは、発光モジュール６０に給電するための基板用コネクタである。
【００４７】
カバー部材３は、発光モジュール６０を覆うカバーであり、発光モジュール６０の発光素子６２から発せられた光を透過させる透光性の部材である。カバー部材３は、例えば、アクリル、ポリカーボネート等の透光性樹脂材料又は透明なガラス材料等の透光性を有する材料で形成される。また、カバー部材３は、発光モジュール６０から発せられた光を拡散する機能を有している。
【００４８】
例えば、シリカもしくは炭酸カルシウムなどの光拡散材（微粒子）を含有する樹脂又は白色顔料を、カバー部材３の内面又は外面に付着させることで、乳白色の光拡散膜がカバー部材３に形成される。また、カバー部材３そのものが、光拡散材が分散された樹脂材料等を用いて成形されてもよい。
【００４９】
なお、光を拡散するカバー部材３としては、内部に光拡散材を分散させるのではなく、透明カバーの内面又は外面に光拡散材等を含む乳白色の光拡散膜を形成することによって構成されていてもよい。また、光を拡散するカバー部材３は、光拡散材を用いるのではなく、拡散加工を施すことによって光拡散性を有するように構成されていてもよい。例えば、シボ加工等の表面処理を施すことによって透明パネルの内面又は外面に微小凹凸を形成したり、透明カバーの内面又は外面にドットパターンを印刷したりすることによって光拡散性を有するように構成してもよい。なお、拡散加工する場合であっても、光拡散性を高めるために、さらに光拡散材を含有させてもよい。
【００５０】
なお、カバー部材３が光を拡散する機能を有することは必須ではなく、カバー部材３は、カバー部材３の外部から内部を視認可能な程度に透明であってもよい。
【００５１】
このような構成の照明器具１では、ユーザがリモコン等の外部装置を用いて操作することによって、アンテナ部１１１が外部装置から制御信号を受信して、無線制御部１１２に出力する。無線制御部１１２は、制御信号に点灯ＯＮ／ＯＦＦ信号、調光信号、調色信号等を電気信号に変換し、電源部７０の電源回路、調光回路、調色回路等に出力する。電源部７０は、制御信号に点灯ＯＮ／ＯＦＦ信号、調光信号、調色信号等に応じて発光モジュール６０を制御する。
【００５２】
また、この照明器具１は、発光モジュール６０の調光及び調色機能に対応している。調光機能は、制御部４３が発光モジュール６０への電流の出力を増減させることにより実現される。また、調色機能は、制御部４３が発光モジュール６０に含まれる発光素子６２それぞれに対する供給電流のバランスを変更することで実現される。なお、制御部４３の発光モジュール６０への供給電流の増減は、例えば、ＰＷＭ制御などにより行われる。
【００５３】
［作用効果］
次に、本実施の形態における照明器具１の作用効果について説明する。
【００５４】
上述したように、本実施の形態に係る照明器具１は、第１挿通孔１６１が形成された配線基板６１と、配線基板６１の実装面６１ａに実装された複数の発光素子６２と、配線基板６１を搭載する金属製の筐体２１と、筐体２１に収容され、外部機器と無線通信をするアンテナ部１１１とを備える。また、筐体２１は、筐体２１及び配線基板６１を平面視した場合に、第１挿通孔１６１と重なる位置に形成された第２挿通孔１４１を有する。そして、アンテナ部１１１は、第１挿通孔１６１及び第２挿通孔１４１に挿通されている。
【００５５】
このような照明器具１では、配線基板６１に第１挿通孔１６１が形成され、筐体２１に第２挿通孔１４１が形成されている。筐体２１及び配線基板６１を平面視した場合に、第１挿通孔１６１は第２挿通孔１４１と重なる位置に形成されている。また、アンテナ部１１１は、第１挿通孔１６１及び第２挿通孔１４１に挿通されている。つまり、アンテナ部１１１は、外部機器と無線通信することが可能なように、金属製の筐体２１から露出した状態となっている。このため、照明器具１は、外部機器と通信することができる。
【００５６】
したがって、この照明器具１では、アンテナ性能を確保することができる。
【００５７】
また、本実施の形態に係る照明器具１において、アンテナ部１１１は、実装面６１ａに対して略垂直に直立している箇所を有する。
【００５８】
この構成によれば、アンテナ部１１１の放射特性を確保することができる。
【００５９】
また、本実施の形態に係る照明器具１において、配線基板６１は、長尺である。そして、第１挿通孔１６１は、隣り合う２つの発光素子６２の間の略中央を通る配線基板６１の短手方向上に形成される。
【００６０】
この構成によれば、第１挿通孔１６１は、隣り合う２つの発光素子６２の間の略中央を通る配線基板６１の短手方向上に形成されている。このため、発光素子６２から略等しい光量の光がアンテナ部１１１に照射されるため、アンテナ部１１１による影の発生を抑制することができる。
【００６１】
また、本実施の形態に係る照明器具１において、第２挿通孔１４１は、第１挿通孔１６１及び第２挿通孔１４１を平面視した場合に、第１挿通孔１６１と重なっている。また、第１挿通孔１６１及び第２挿通孔１４１を平面視した場合に、第１挿通孔１６１の面積は、第２挿通孔１４１の面積よりも小さい。
【００６２】
この構成によれば、アンテナ部１１１を第１挿通孔１６１及び第２挿通孔１４１に挿通した際に、第１挿通孔１６１によって第２挿通孔１４１とアンテナ部１１１との接触が抑制されるため、アンテナ部１１１が金属製の筐体２１に接触し難くなる。このため、アンテナ部１１１の通信性能を確保することができる。
【００６３】
また、本実施の形態に係る照明器具１は、さらに、アンテナ部１１１を有する無線モジュール１１０と、無線モジュール１１０が直結されるコネクタを有する電源部７０とを備える。
【００６４】
この構成によれば、電源部７０と無線モジュール１１０とを離間させた状態でケーブルを介して接続する場合に比べて、アンテナ部１１１のアンテナ性能に影響を与え難い。
【００６５】
（実施の形態１の変形例）
本変形例に係る照明器具１について説明する。
【００６６】
図６は、実施の形態１の変形例に係る照明器具１のカバー部材３、発光モジュール２６０、無線モジュール１１０等を示す部分拡大斜視図である。図７は、実施の形態１の変形例に係る照明器具１のカバー部材３、発光モジュール２６０、無線モジュール１１０等を示す部分拡大斜視図である。図８は、実施の形態１の変形例に係る照明器具１の発光モジュール２６０、及び、アンテナ部２１１を示す平面図である。
【００６７】
本変形例の照明器具１の構成は、特に明記しない場合は、実施の形態１と同様であり、同一の構成については同一の符号を付して構成に関する詳細な説明を省略する。
【００６８】
図６〜図８に示すように、アンテナ部２１１は、モノポールアンテナであり、第１挿通孔２６１及び第２挿通孔２４１をこの順で挿通して、配線基板６１の実装面６１ａから突出している。アンテナ部２１１は、配置面４１、つまり、Ｘ−Ｙ平面に対して略垂直に直立している。例えば、アンテナ部２１１は、銅等の金属製の導線である。
【００６９】
本変形例の第１挿通孔２６１及び第２挿通孔１４１は、平面視で、円形状に形成されている。発光モジュール２６０を平面視した場合に、第１挿通孔２６１と第２挿通孔２４１とは重なっている。第１挿通孔２６１の中心線は、第２挿通孔２４１の中心線と略同一である。第１挿通孔２６１は、第１挿通孔２６１を挿通するアンテナ部２１１を支持するように、第２挿通孔２４１よりも小径に形成されている。つまり、第１挿通孔２６１は、アンテナ部２１１を挿通させることが可能な程度の大きさであればよい。
【００７０】
本変形例においても上述と同様の作用効果を奏する。
【００７１】
（実施の形態２）
本実施の形態に係る照明器具１について説明する。
【００７２】
［構成］
図９は、実施の形態２に係る照明器具１のカバー部材３、発光モジュール３６０、無線モジュール１１０等を示す部分拡大斜視図である。図１０は、実施の形態２に係る照明器具１の発光モジュール３６０、及び、アンテナ部３１１を示す平面図である。
【００７３】
本実施の形態の照明器具１の構成は、特に明記しない場合は、実施の形態１と同様であり、同一の構成については同一の符号を付して構成に関する詳細な説明を省略する。
【００７４】
図９及び図１０に示すように、本実施の形態の第１挿通孔２６１及び第２挿通孔２４１は、平面視で、円形状に形成されている。
【００７５】
また、アンテナ部３１１は、第１挿通孔２６１及び第２挿通孔２４１に挿通され、配線基板６１とカバー部材３との間の部分で屈曲し、複数の発光素子６２の並びに沿って延びている。配線基板６１とカバー部材３との間の部分は、屈曲しているアンテナ部３１１の一部分である。具体的には、アンテナ部３１１は、第１挿通孔２６１及び第２挿通孔２４１を挿通した後に、Ｙ軸方向に屈曲し、１以上の発光素子６２の上方に配置され、複数の発光素子６２の並びに沿って延在している。アンテナ部３１１は、第１挿通孔２６１及び第２挿通孔２４１を挿通した後に、Ｙ軸方向に延びるように屈曲している。アンテナ部３１１は、無線制御部１１２からＹ軸方向に屈曲するまでの部分である第１部分３１１ａと、屈曲して、複数の発光素子６２の表面に沿って延在している部分である第２部分３１１ｂとを有する。第２部分３１１ｂは、複数の発光素子６２の上方で、複数の発光素子６２に跨って配置されている。
【００７６】
［作用効果］
上述したように、本実施の形態に係る照明器具１は、さらに、透光性を有し、発光素子６２及び配線基板６１を覆うカバー部材３を備える。また、複数の発光素子６２は、配線基板６１に配列される。そして、アンテナ部３１１は、第１挿通孔２６１及び第２挿通孔２４１を挿通し、配線基板６１とカバー部材３との間の部分で屈曲し、複数の発光素子６２の並びに沿って延びている。
【００７７】
アンテナ部３１１の長さは、外部機器と無線通信する周波数によって変わる。このため、長尺な配線基板６１に実装されている複数の発光素子６２の並びに沿って、アンテナ部３１１を配線基板６１とカバー部材３との間の部分で屈曲させて配置することで、規定の周波数に対応した必要なアンテナ長を確保することができる。特に、アンテナ部３１１を屈曲させることで、照明器具１にアンテナ部３１１が影となって、視認されることも抑制することができる。
【００７８】
また、本実施の形態に係る照明器具１において、アンテナ部１１１は、発光素子６２の上方に配置されている。
【００７９】
この構成によれば、アンテナ部３１１が発光素子６２の上方に配置されているため、アンテナ部３１１が発光素子６２から離れた状態よりも、アンテナ部３１１による影の発生を抑えることができる。特に、アンテナ部３１１を発光素子６２の上面に接触させたり、アンテナ部３１１を発光素子６２の上面の近傍に配置させたりすることが好ましい。
【００８０】
本実施の形態においても上述と同様の作用効果を奏する。
【００８１】
（実施の形態３）
本実施の形態に係る照明器具１について説明する。
【００８２】
［構成］
図１１は、実施の形態３に係る照明器具１の発光モジュール３６０、及び、アンテナ部３２１を示す図である。図１１の（Ａ）は、発光モジュール３６０、及び、アンテナ部３２１を示す平面図である。図１１の（Ｂ）は、ＸＩ（Ｂ）−ＸＩ（Ｂ）線における、発光モジュール３６０、及び、アンテナ部３２１の断面図である。
【００８３】
本実施の形態の照明器具１の構成は、特に明記しない場合は、実施の形態１と同様であり、同一の構成については同一の符号を付して構成に関する詳細な説明を省略する。
【００８４】
本実施の形態の照明器具１の構成は、特に明記しない場合は、実施の形態２と同様であり、同一の構成については同一の符号を付して構成に関する詳細な説明を省略する。
【００８５】
図１１に示すように、発光モジュール３６０は、さらに、複数の発光素子６２の周囲に配置された、透光性の絶縁シート３９０を備える。
【００８６】
絶縁シート３９０は、複数の発光素子６２を囲んでいる。具体的には、絶縁シート３９０は、長尺な板状であり、絶縁シート３９０を配線基板６１に配置する際に、発光素子６２に対応する位置がくり抜かれた枠状の構造体である。本実施の形態では、絶縁シート３９０は、複数の発光素子６２のうちの隣り合う一部の発光素子６２を囲んでいる。絶縁シート３９０は、発光モジュール３６０に嵌め込まれている。なお、絶縁シート３９０は、発光素子６２の上面も覆っていてもよい。絶縁シート３９０は、例えば、透光性の樹脂材料、ガラス等である。
【００８７】
実装面６１ａ及びアンテナ部３２１の内の少なくとも一方は、白色に塗装されている。実装面６１ａは、実際に発光素子６２を実装している面に限定されず、配線基板６１のＺ軸マイナス方向側の面である。また、実装面６１ａの全てを白色に塗装していてもよく、絶縁シート３９０を配置する配線基板６１の部分だけを白色に塗装してもよい。アンテナ部３２１は、その表面を材料３２２により白色に塗装していてもよい。アンテナ部３２１は、絶縁シート３９０の上方に配置されている。アンテナ部３２１は、その一部が絶縁シート３９０の上方に配置されていればよく、他の一部が発光素子６２の上方に配置されていてもよい。
【００８８】
なお、アンテナ部３２１には、白色の樹脂の材料３２２が塗装されていてもよいが、白色樹脂フィルム又はシートが巻かれていてもよい。また、材料３２２は、銀、アルミニウム等の金属材料からなる金属蒸着膜によってコーティングされてもよい。
【００８９】
このため、例えば、図１２に示すものでもよい。図１２は、実施の形態３に係る照明器具１の発光モジュール３６０、及び、アンテナ部３２１を示す平面図である。図１２の（Ａ）は、発光モジュール３６０、及び、アンテナ部３２１を示す平面図である。図１２の（Ｂ）は、ＸＩＩ（Ｂ）−ＸＩＩ（Ｂ）線における、発光モジュール３６０、及び、アンテナ部３２１の断面図である。アンテナ部３２１は、Ｚ軸方向に対して傾くように曲がり、さらに、Ｚ軸方向と略平行となるように曲がっていてもよい。つまり、アンテナ部３２１は、第１挿通孔２６１から出た後に、発光素子６２を避けるように迂回しながら、発光素子６２の並び、つまり、Ｙ軸方向に沿って延在している。
【００９０】
また、例えば、図１３に示すものでもよい。図１３は、実施の形態３に係る照明器具１の発光モジュール３６０、及び、アンテナ部３２１を示す平面図である。第１挿通孔２６１及び第２挿通孔２４１の中心線は、隣り合う２つの発光素子６２の間からＸ軸方向（本実施の形態では、Ｘ軸マイナス方向）にズレた位置に存在している。アンテナ部３２１は、第１挿通孔２６１から出た後に、発光素子６２の並びに沿って延在している。
【００９１】
［作用効果］
上述したように、本実施の形態に係る照明器具１は、さらに、アンテナ部３２１及び複数の発光素子６２の周囲に配置された、透光性の絶縁シート３９０を備える。また、実装面６１ａ及びアンテナ部３２１の内の少なくとも一方は、白色に塗装される。そして、アンテナ部３２１は、絶縁シート３９０の上方に配置されている。
【００９２】
この構成によれば、透光性の絶縁シート３９０の上に、白色に塗装されたアンテナ部３２１が配置されているため、発光素子６２が発した光を、白色に塗装されたアンテナ部３２１が反射する。このため、アンテナ部３２１の存在による光量の低下を抑制することができる。
【００９３】
本実施の形態においても上述と同様の作用効果を奏する。
【００９４】
（その他変形例）
以上、本発明に係る照明器具について、上記の実施の形態１〜３及び実施の形態１の変形例に基づいて説明したが、本発明は、上記の実施の形態１〜３及び実施の形態１の変形例に限定されるものではない。
【００９５】
例えば、上記の実施の形態１〜３及び実施の形態１の変形例に係る照明器具１のアンテナ部３１２は、図１４に示すものでもよい。図１４は、変形例に係る照明器具１の発光モジュール３６０、及び、アンテナ部３３１を示す図である。図１４の（Ａ）は、発光モジュール３６０、及び、アンテナ部３３１を示す平面図である。図１４の（Ｂ）は、ＸＩＶ（Ｂ）−ＸＩＶ（Ｂ）線における、発光モジュール３６０、及び、アンテナ部３３１の断面図である。図１４に示すアンテナ部３３１は、複数の発光素子６２の少なくとも１つの発光素子６２の周囲を周回するように配置されている。アンテナ部３３１は、絶縁シート３９０の上方に配置されている。なお、絶縁シート３９０を設けなくてもよい。このような照明器具１において、アンテナ部３３１は、複数の発光素子６２の少なくとも１つの発光素子６２の周囲を周回するように、配置されている。この構成によれば、アンテナ部３３１を１つ以上の発光素子６２の周囲を周回するように配置するため、発光素子６２が発する光を妨げ難い。
【００９６】
また、上記の実施の形態１〜３及び実施の形態１の変形例に係る照明器具１において、第１挿通部は図１５及び図１６で示す第１切り欠き４６１であってもよく、第２挿通部は図１５及び図１６で示す第２切り欠き４４１であってもよい。このため、第１挿通部は第１挿通孔に、第２挿通部は第２挿通孔に限定されない。配線基板６１には、第１切り欠き４６１が形成されている。また、基台４０には、第２切り欠き４４１が形成されている。配線基板６１及び基台４０を平面視した場合に、第１切り欠き４６１の面積は、第２切り欠き４４１の面積よりも小さい。図１６では、アンテナ部２１１は、モノポールアンテナを例示している。アンテナ部２１１は、第１切り欠き４６１に近接した状態で配置されている。
【００９７】
また、上記の実施の形態２、３に係る照明器具において、アンテナ部は、発光素子の並び方向、つまりＹ軸方向に延在しているが、Ｘ軸方向に延在していてもよく、アンテナ部の延びる方向は、特に限定されない。
【００９８】
その他、実施の形態１〜３及び実施の形態１の変形例に対して当業者が思いつく各種変形を施して得られる形態、本開示の趣旨を逸脱しない範囲で実施の形態１〜３及び実施の形態１の変形例における構成要素及び機能を任意に組み合わせることで実現される形態も本開示に含まれる。
【符号の説明】
【００９９】
１  照明器具
３  カバー部材
２１  筐体
６１  配線基板（基板）
６１ａ  実装面
６２  発光素子
７０  電源部
１１０  無線モジュール
１１１、２１１、３１１、３２１、３３１  アンテナ部
１４１、２４１、４４１  第２挿通孔（第２挿通部）
１６１、２６１、４６１  第１挿通孔（第１挿通部）
３９０  絶縁シート
【図１】
2019145415.tif 000003
【図２】
2019145415.tif 000004
【図３】
2019145415.tif 000005
【図４】
2019145415.tif 000006
【図５】
2019145415.tif 000007
【図６】
2019145415.tif 000008
【図７】
2019145415.tif 000009
【図８】
2019145415.tif 000010
【図９】
2019145415.tif 000011
【図１０】
2019145415.tif 000012
【図１１】
2019145415.tif 000013
【図１２】
2019145415.tif 000014
【図１３】
2019145415.tif 000015
【図１４】
2019145415.tif 000016
【図１５】
2019145415.tif 000017
【図１６】
2019145415.tif 000018